(57)【要約】【課題】本体内に吸込まれた空気を直接加熱して、加熱された空気を吸水フィルターに通過させて加湿効率を向上させる一方、フィルターの交換を容易にした加熱気化式加湿機を提供する。【解決手段】下部ケース１と上部ケース３と前記ケース１に着脱自在に装着される吸水槽２とからなる本体の上部に遠心ファンからなる送風部６を、本体の下部に円筒状の吸水フィルター１３を回動自在に支承した吸水部７を夫々設け、これらを加熱ヒータ１９を備えたダクト１８で連結し、本体の前面上部に設けられた吸込口４から吸込まれた空気を前記加熱ヒータ１９で加熱し、加熱された空気を前記ダクト１８を介して前記吸水フィルター１３の内側に送出するとともに、同吸水フィルター１３の外側に通過させて加湿を行う。【選択図】  図２
2004226023.tif 000002
【特許請求の範囲】
【請求項１】
上面が開放された下部ケースと、同下部ケースの上面に被着される上部ケースとで本体を構成し、同本体の一側に吸込口を、上面に吹出口を夫々設け、前記下部ケース内に貯水槽を設けるとともに、同貯水槽の一側にこれに水を供給する給水タンクを着脱自在に装着し、他側に、貯留された水に一部が浸るように回動自在に支持され一端を開放した円筒状の吸水フィルターと、同吸水フィルターを駆動するモータとを設け、前記吸込口に臨んで流入口を、下方に流出口とを備えたファンケーシングと、同ファンケーシング内に収納されたファンとからなる送風部を設けるとともに、前記ファンケーシングの流出口と前記吸水フィルターの開放された一端とを加熱ヒータを備えたダクトで連通させてなり、
前記吸込口から吸込まれた空気を、前記加熱ヒータにより加熱しながら前記送風部により前記吸水フィルターの内周部側に送り込み、加熱された空気を吸湿させながら前記吸水フィルターの外周側に通過させ、前記吹出口から室内に送出してなることを特徴とする加熱気化式加湿機。
【請求項２】
前記貯水槽を、前記下部ケースとは別体に形成する一方、前記下部ケース側面に同貯水槽を挿抜自在とする開口部を開口してなることを特徴とする請求項１に記載の加熱気化式加湿器。
【請求項３】
前記吸水フィルターが一端を開放し、他端に鍔部を備えた円筒状のロータと、同ロータに被着する円筒状のフィルターとからなることを特徴とする請求項１に記載の加熱気化式加湿機。
【請求項４】
前記フィルターが、樹脂材からなる平板状の吸水材を円周方向につづれ折りにして形成されてなることを特徴とする請求項３に記載の加熱気化式加湿器。
【請求項５】
前記吸水フィルターを前記貯水槽に支持手段により着脱自在且つ回動自在に支持する一方、前記モータと前記吸水フィルターとを連結手段により連結してなることを特徴とする請求項１に記載の加熱気化式加湿機。
【請求項６】
前記支持手段が、前記貯水槽の内側壁に逆三角形状に配設され、前記ロータの鍔部を支承する円筒状のローラーからなることを特徴としてなる請求項５に記載の加熱気化式加湿機。
【請求項７】
前記連結手段が、前記下部ケースから立設された保持金具に支持される前記モータと、マグネットを一側に偏らせて内蔵し前記モータの回転軸に装着されるマグネット部と、前記ロータの鍔部に内蔵され電磁力により前記マグネット部に牽引されるマグネットとからなることを特徴とする請求項１又は請求項５に記載の加熱気化式加湿器。
【請求項８】
前記樹脂材がポリプロピレンからなることを特徴とする請求項３に記載の加熱気化式加湿器。
【請求項９】
前記送風部が、断面がインボリュート曲線に形成され一側に前記流出口を開口し下方に吹出口を備えた前記ファンケーシングと、同ファンケーシング内に収納された遠心ファンとで構成されてなることを特徴とする請求項１に記載の加熱気化式加湿器。
【発明の詳細な説明】
【０００１】
【発明の属する技術分野】
本発明は、加湿機に関わりより詳細には、加湿効率を向上させるとともに、吸水を行うフィルターの交換を容易に行えるようにした構成に関する。
【０００２】
【従来の技術】
従来の加湿機は例えば図５（Ａ）及び図５（Ｂ）で示すように、矩形状の底壁の周囲に所定高さの側壁を付設した水槽４９と、底部に開閉弁４２を備え前記水槽４９の一側に配設される給水タンク４１と、一対の支軸４７により回動自在に支持され前記水槽４９に貯留された水に下端部が水没するように設けられた多孔質セラミックス円筒４３と、同多孔質セラミックス円筒４３を駆動する駆動体４４と、反射板４６を備え前記多孔質セラミックス円筒４３に対し赤外線を放射してこれを加熱する赤熱発熱体４５とで構成されている。（特許文献１参照）
【０００３】
前記水槽４９に貯留された水の水位が一定以上下がると前記開閉弁４２の作用により前記給水タンク４１から前記水槽４９に水が供給される。前記多孔質セラミックス円筒４３は前記支軸４７に支持されながら、前記駆動体４４の駆動により一定方向に回動し水没した下端部から前記水槽４９に貯留された水を毛細管現象により吸水するようになっており、同多孔質セラミックス円筒４３表面に前記赤熱発熱体４５から赤外線が放射されると照射された部位が加熱され、加熱により吸水された水が次第に蒸発し放出されて室内のの加湿を行うようになっている。
【０００４】
しかしながら、前記多孔質セラミックス円筒４３の表面で前記赤熱発熱体４５からの赤外線照射を受ける部位は限られた範囲であり、これにより吸水された水の蒸発量にはある限界があった。また、赤外線の照射量を増大させ加熱温度を上昇させると前記多孔質セラミックス円筒４３の劣化が早まり、またその表面にスケールが蓄積した際にはその交換を行う必要があるが、そのような場合にも交換作業が容易に行える加湿機が求められていた。
【０００５】
【特許文献１】
特開平２−２２５９２５号
【０００６】
【発明が解決しようとする課題】
本発明は上記問題点に鑑み、加湿される空気を直接加熱するとともに、水を吸水した吸水体の蒸発面積を増やして加湿効率を向上させ、また吸水体が劣化した際にはその交換が容易に行えるようにした加熱気化式加湿器を提供することを目的とする。
【０００７】
【課題を解決するための手段】
本発明は上記課題を解決するため、上面が開放された下部ケースと、同下部ケースの上面に被着される上部ケースとで本体を構成し、同本体の一側に吸込口を、上面に吹出口を夫々設け、前記下部ケース内に貯水槽を設けるとともに、同貯水槽の一側にこれに水を供給する給水タンクを着脱自在に装着し、他側に、貯留された水に一部が浸るように回動自在に支持され一端を開放した円筒状の吸水フィルターと、同吸水フィルターを駆動するモータとを設け、前記吸込口に臨んで流入口を、下方に流出口とを備えたファンケーシングと、同ファンケーシング内に収納されたファンとからなる送風部を設けるとともに、前記ファンケーシングの流出口と前記吸水フィルターの開放された一端とを加熱ヒータを備えたダクトで連通させてなり、
前記吸込口から吸込まれた空気を、前記加熱ヒータにより加熱しながら前記送風部により前記吸水フィルターの内周部側に送り込み、加熱された空気を吸湿させながら前記吸水フィルターの外周側に通過させ、前記吹出口から室内に送出する構成となっている。
【０００８】
また、前記貯水槽を、前記下部ケースとは別体に形成する一方、前記下部ケース側面に同貯水槽を挿抜自在とする開口部を開口してなる構成となっている。
【０００９】
また、前記吸水フィルターが一端を開放し、他端に鍔部を備えた円筒状のロータと、同ロータに被着する円筒状のフィルターとからなる構成となっている。
【００１０】
また、前記フィルターが、樹脂材からなる平板状の吸水材を円周方向につづれ折りにして形成されてなる。
【００１１】
また、前記吸水フィルターを前記貯水槽に支持手段により着脱自在且つ回動自在に支持する一方、前記モータと前記吸水フィルターとを連結手段により連結してなる構成となっている。
【００１２】
また、前記支持手段が、前記貯水槽の内側壁に逆三角形状に配設され、前記ロータの鍔部を支承する円筒状のローラーからなる構成となっている。
【００１３】
また、前記連結手段が、前記下部ケースから立設された保持金具に支持される前記モータと、マグネットを一側に偏らせて内蔵し前記モータの回転軸に装着されるマグネット部と、前記ロータの鍔部に内蔵され電磁力により前記マグネット部に牽引されるマグネットとからなる構成となっている。
【００１４】
また、前記樹脂材がポリプロピレンから構成されてなる。
【００１５】
また、前記送風部が、断面がインボリュート曲線に形成され一側に前記流出口を開口し下方に吹出口を備えた前記ファンケーシングと、同ファンケーシング内に収納された遠心ファンとで構成されてなる。
【００１６】
【発明の実施の形態】
以下、本発明の実施の形態を、添付図面に基づいた実施例として詳細に説明する。
図１は本発明による加熱気化式加湿器を示す正面からの断面図であり、図２はその側断面図である。図３は吸水フィルターを示す分解斜視図であり図４は貯水槽を示す分解斜視図である。
本発明による加熱気化式加湿器は、図１の正面からの断面図で示すように、上面が開放され右側面下部に矩形状の開口部を開口し、直方体状に形成された下部ケース１と、同下部ケース１の開放された上面に被着される上部ケース３とで本体を構成するとともに、前記下部ケース１底面に、上面が開放された箱体状の貯水槽２を設け、同貯水槽２を本体の右側面下部に設けられた前記開口部から挿抜自在としている。前記本体内の左側には底部に開閉弁８ａを備えた吸水タンク８が着脱自在に装着され、右側上部には送風部６が設けられている。また前記貯水槽２の本体前面側には円筒状の吸水フィルター１３を回動自在に備えた吸水部７が設けられている。
【００１７】
前記貯水槽２には前記吸水フィルター１３の下端部が浸るように一定量の水３０が貯留されるようになっており、貯留された水３０の水位が一定量以下に下がると前記貯水槽２の底面から突設された押圧片１ａにより前記開閉弁８ａが押圧されて開き前記吸水タンク８から前記貯水槽２に水が供給されるようになっている。前記送風部６は円周上に多数のブレードを配設した円筒状の遠心ファン１０と、同遠心ファン１０を回動自在に収納するとともに一側に流入口９ａを開口し下部に流出口を備えたファンケーシング９とで構成され、前記流出口と前記吸水部７とは加熱ヒータ１９を備えたＬ字状のダクト１８により接続されている。
【００１８】
図２の側断面図で示すように、前記下部ケース１の前面上部には前記ファンケーシング９の一側に開口した流入口９ａに対応して室内の空気を吸込む吸込口４が複数の横桟により形成され、前記上部ケース３の後方側には加湿された空気を室内に送出する吹出口５が複数の横桟により形成されている。前記ファンケーシング９の他側には前記遠心ファン１０を支承するとともにこれを回転させるファンモータ１２がモータカバー１１に覆われて設けられており、前記吸込口４から吸込まれ前記流入口９ａから前記ファンケーシング９内に流入した室内の空気は、前記遠心ファン１０の回転に伴い前記ダクト１８側に送出され、前記加熱ヒータ１９を通過することにより加熱され前記吸水部７に送出されるようになっている。
【００１９】
前記吸水フィルター１３は、後述するロータ１４と同ロータ１４に被着されるフィルター１５とからなり、前記吸水部７にはこれを回動自在且つ着脱自在に支持する支持手段と、モータの駆動力を伝達する連結手段とを備えている。
【００２０】
前記吸水フィルター１３を構成するフィルター１５は、図３で示すように、ポリプロピレンからなる平板状の吸水材を円周方向につづれ折りにして前後端が開放された円筒状に形成され、前記貯水槽２に貯留された水に一端部が浸ると毛細管現象により吸水、吸湿を行うようになっている。前記ロータ１４は一側に円盤状の鍔部１４ａを備えボス部１４ｃを介して円盤状の押さえ板１４ｂに連結されており、同押さえ板１４ｂの他側には先端部をリング１４ｅにより連結される複数のステー１４ｆが突設され、同ステー１４ｆと前記リング１４ｅとで前記フィルター１５を保持するホルダ部１４ｄとなっている。また夫々の前記ステー１３ｆとの間は空気が通過する通気孔１４ｇとなっている。
【００２１】
前記支持手段は、図４（Ａ）で示すように、前記貯水槽２の一側壁２ｃの内面側に逆三角形状に配置された複数のローラーからなり、これら複数のローラーは２０ａ及び２０ｂが左右に相対向して配置されるとともに、ローラー２０ｃはこれらの中間であって且つ下方となるように配置されている。図４（Ｂ）で示すように、これらローラー２０ａ、２０ｂ及び２０ｃの内周端は、前記ロータ１４のボス部１４ｃに夫々当接してこれを回動自在に支承するとともに、前記ボス部１４ｃより径の大きな鍔部１４ａが前記ローラー２０ａ、２０ｂ及び２０ｃと前記一側壁２ｃとの間に遊嵌され、これにより前記ロータ１４は前記貯水槽２から落下しないように保持される一方、上方に持ち上げることにより容易に抜脱できるようになっている。
【００２２】
前記吸水フィルター１３を回動させる駆動部１６は、前記下部ケース１に立設された保持金具１６ｂと、同保持金具１６ｂに固定されたモータ１６ａとからなり、前記連結手段は、同モータ１６ａの回転軸に装着されマグネット１７ａを一側に偏らせて内蔵した円盤状のマグネット部１７と、前記ロータ１４のボス部１４ｃの一側に偏らせて内蔵された前記マグネット１７ａと反極性をもつマグネット２１とからなり、前記マグネット部１７が回動すると前記マグネット２１とのマグネット同士の吸引力により前記ロータ１３が動するようになっている。
【００２３】
前記吸水フィルター１３を交換する際は、図４（Ａ）で示すように、前記貯水槽２の下端に形成された把手部２ａにより同貯水槽２を前記開口部から本体の右側面方向に引き抜く。次に、前記ロータ１４とともに前記フィルター１５を前記一側壁２ｃから抜脱するように上方に持ち上げることにより、前記ローラー２０ａ、２０ｂ及び２０ｃから前記鍔部１３ａが抜け、これにより容易に前記貯水槽２から外すことができるようになっている。また前記フィルター１５を新規のフィルターと交換した後は前記ローラーー２０ａ、２０ｂ及び２０ｃと前記一側壁２ｃとの間に前記鍔部１３ａを挟み込むようにして再び容易に装着できるようになっている。尚、前記貯水槽２の前記把手２ａ側と相対向する側壁には同貯水槽２を本体から引き抜く際、前記吸水タンク８及び前記ダクト１８と干渉しないよう切欠き２ｂが設けられている。
【００２４】
次に、動作について説明する。図２で示すように、前記駆動部１６に備えられた前記モータ１６ａが始動すると前記マグネット部１７の作用により前記フィルター１５を保持した前記ロータ１４が回動し、前記貯水槽２に貯留された水３０は前記フィルター１５に一様に吸水される。前記下部ケース１の上部に設けられた前記吸込口４から吸込まれた室内の空気は、前記遠心ファン１０が回転するのに伴い前記ファンケーシング９を介して前記ダクト１８に流入し前記加熱ヒータ１９により加熱される。加熱された空気は前記ダクト１８から前記ロータ１４のホルダ１４ｄ内に流入し、前記通過孔１４ｇを介して前記フィルター１５を矢印で示すように通過することにより加湿される。加湿された空気は前記上部下部ケース３に設けられた吹出口５から再び室内に送出されるようになっている。
【００２５】
加熱された空気を内側から前記吸水フィルター１３の外側全周に向け、これを通過させて加湿することにより充分に空気を加湿でき加湿効率の向上がはかれる一方、前記フィルター１５にスケール等が蓄積した場合はその交換が容易に行えるようになっている。
【００２６】
【発明の効果】
以上説明したように、本発明によると、本体の上部に送風部を、本体の下部に吸水フィルターを回動自在に支承した吸水部を夫々設け、これらを加熱ヒータを備えたダクトで連結することにより、加熱された空気を前記吸水フィルターの内側から外側に通過させて加湿でき、加湿効率の向上がはかれる一方、前記吸水フィルターにスケール等が蓄積した場合は着脱機構によりその交換が容易に行える加熱気化式加湿器とすることができる。
【図面の簡単な説明】
【図１】本発明による加熱気化式加湿器の正面からの断面図である。
【図２】本発明による加熱気化式加湿器の側断面図である。
【図３】フィルターとロータとを示す斜視図である。
【図４】（Ａ）は貯水槽と、フィルターを保持したロータとを示す斜視図である。
（Ｂ）はローラーとロータとの位置関係を示す断面図である。
【図５】（Ａ）は従来例による加湿機を示す断面図である。
（Ｂ）はその斜視図である。
【符号の説明】
１  下部ケース
２  貯水槽
２ａ  把手
２ｂ  切欠き
３  上部ケース
４  吸込口
５  吹出口
６  送風部
７  吸水部
８  給水タンク
８ａ  開閉弁
９  ファンケーシング
９ａ  流入孔
１０  遠心ファン
１１  モータカバー
１２  ファンモータ
１３  吸水フィルター
１４  ロータ
１４ａ  鍔部
１４ｂ  押さえ板
１４ｃ  ボス部
１４ｄ  ホルダ部
１４ｅ  リング
１４ｆ  ステー
１４ｇ  通気孔
１５  フィルター
１６  駆動部
１６ａ  モータ
１６ｂ  保持金具
１７  マグネット部
１７ａ  マグネット
１８  ダクト
１９  加熱ヒータ
２０ａ、２０ｂ、２０ｃ  ローラー
２１  マグネット
【図１】
2004226023.tif 000003
【図２】
2004226023.tif 000004
【図３】
2004226023.tif 000005
【図４】
2004226023.tif 000006
【図５】
2004226023.tif 000007